(57)【要約】【課題】  トランザクションの実行中に通信Ｉ／Ｆが切替っても、トランザクションが完了するまでの間は、アプリケーションの実行状況が失われることのないＩＣカードを提供する。【解決手段】  ＩＣカードに実装されるアプリケーション３は、トランザクションのフローを記述したプロファイル情報３２を有し、プロファイル情報３２には、少なくとも、コマンド３０とコマンド３０が実行される通信Ｉ／Ｆとが、コマンド３０の実行順に記述される。キャッシュマネージャ３１は、プロファイル情報３２を参照し、通信Ｉ／Ｆが切替わる際は、ＥＥＰＲＯＭに設けられたキャッシュファイル３４に、アプリケーション３の実行状況を示す実行情報３３を退避し、通信Ｉ／Ｆが切替わると、実行情報３３をキャッシュファイル３４から所定の場所に復帰させる。【選択図】      図３
2006302130.tif 000002
【特許請求の範囲】
【請求項１】
複数の異なる通信インターフェースを有し、同一アプリケーションに複数の前記通信インターフェースからアクセスできるＩＣカードにおいて、前記ＩＣカードは、実行されているアプリケーションの実行状況を示し、前記ＩＣカードの電源がオフになると情報が消去される記憶素子に記憶されている実行情報を、前記ＩＣカードの書換え可能な不揮発性メモリに退避／復帰させるキャッシュ手段を備えていることを特徴とするＩＣカード。
【請求項２】
請求項１に記載のＩＣカードにおいて、前記アプリケーションは、トランザクションのフローを記述したプロファイル情報を有し、前記プロファイル情報には、少なくとも、前記アプリケーションのコマンドと前記コマンドが実行される前記通信インターフェースとが、前記コマンドの実行順に記述され、前記キャッシュ手段は、前記コマンドの処理が終了し前記ＩＣカードが応答動作をする前に、前記プロファイル情報を参照し、次の前記コマンドが実行されるときに、前記通信インターフェースが切替わる際は、前記ＩＣカードの書換え可能な不揮発性メモリに前記実行情報を退避させる手段と、前記ＩＣカードが活性化された後に、前記ＩＣカードの書換え可能な不揮発性メモリを参照し、前記実行情報が退避されている際は、前記実行情報を所定の場所に復帰する手段とを備えていることを特徴とするＩＣカード。
【請求項３】
複数の異なる通信インターフェースを有し、同一アプリケーションに複数の前記通信インターフェースからアクセスできるＩＣカードに実装されるＩＣカード用プログラムであって、端末装置からの命令に従い、実行されているアプリケーションの実行状況を示し、前記ＩＣカードの電源がオフになると情報が消去される記憶素子に記憶されている実行情報を、前記ＩＣカードの書換え可能な不揮発性メモリに退避／復帰させる処理を行うことを特徴とするＩＣカード用プログラム。
【請求項４】
複数の異なる通信インターフェースを有し、同一アプリケーションに複数の前記通信インターフェースからアクセスできるＩＣカードに実装されるＩＣカード用プログラムであって、前記アプリケーションは、トランザクションのフローとして、少なくとも、前記アプリケーションのコマンドと前記コマンドが実行される前記通信インターフェースとが、前記コマンドの実行順に記述されたプロファイル情報を有し、前記ＩＣカード用プログラムは、前記アプリケーションの実行状況を示し、前記ＩＣカードの電源がオフになると情報が消去される記憶素子に記憶されている実行情報を退避させる退避モジュールと、前記実行情報を前記ＩＣカードの不揮発性メモリから所定の場所に復帰させる復帰モジュールとを有し、前記退避モジュールは、前記コマンドの処理が終了し前記ＩＣカードが応答動作をする前に、前記プロファイル情報を参照し、次の前記コマンドが実行される前記通信インターフェースと、前記ＩＣカードが活性化された前記通信インターフェースとを比較するステップ、次の前記コマンドが実行される前記通信インターフェースと、前記ＩＣカードが活性化された前記通信インターフェースとが異なる場合は、前記実行情報を前記ＩＣカードの書換え可能な不揮発性メモリに退避させるステップ、とを順に実行するプログラムであって、前記復帰モジュールは、前記ＩＣカードの活性化後に、前記ＩＣカードの不揮発性メモリに前記実行情報が記憶されているか確認するステップ、不揮発性メモリに前記実行情報が記憶されている際は、前記実行情報を所定の場所に復帰させるステップ、とを順に実行するプログラムであることを特徴とするＩＣカード用プログラム。
【発明の詳細な説明】
【技術分野】
【０００１】
本発明は、複数の異なる通信インターフェースを備えたＩＣカードに関し、更に詳しくは、通信Ｉ／Ｆが切替るトランザクションに対応できるＩＣカード、および、このＩＣカードに実装されるプログラムに関する。
【背景技術】
【０００２】
接触インターフェース（以下Ｉ／Ｆ、I/F: InterFace）と非接触Ｉ／Ｆの２つの異なる通信Ｉ／Ｆを有するデュアルインターフェースＩＣカードは、接触型ＩＣカードと非接触ＩＣカードを１枚のＩＣカードにまとめることができる利便性の高いＩＣカードである。
【０００３】
特許文献１では、デュアルインターフェースＩＣカードの利便性を更に高めるために、接触Ｉ／Ｆで駆動しても非接触Ｉ／Ｆで駆動しても、同等の機能を有し、かつ、十分なセキユリティ機能を実現できるデュアルインターフェースＩＣカードが開示されている。
【０００４】
しかしながら、従来のデュアルインターフェースＩＣカードにおいては、特許文献１に記載されているように、通信Ｉ／Ｆが切替るごとに、ＩＣチップの揮発性メモリ（例えば、ＲＡＭ：Random Access Memory）は初期化されてしまうため、トランザクションの実行中に通信Ｉ／Ｆが切替わると、揮発性メモリに記憶されていたアプリケーションの実行状況を示す情報が失われてしまい、通信Ｉ／Ｆが切替わった後に、通信Ｉ／Ｆが切替わる前の処理を再度実行しなければならないケースがあり、時間的に大変ロスが多かった
【０００５】
例えば、ユーザの指紋照合に成功した場合のみデータの読み出しが可能になる場合、たとえ、供給電源の安定している接触Ｉ／Ｆで指紋照合を行ったとしても、高速データ通信が可能な非接触Ｉ／Ｆでデータを読み出すときは、再度、非接触Ｉ／Ｆで指紋照合を行わなければならなかった。
【特許文献１】特開平１１-２７２８２４号公報
【発明の開示】
【発明が解決しようとする課題】
【０００６】
上述した問題を鑑みて、本発明は、接触Ｉ／Ｆと非接触Ｉ／Ｆを有するデュアルインターフェースＩＣカードのように、複数の異なる通信Ｉ／Ｆを有し、同一アプリケーションに複数のＩ／ＦからアクセスできるＩＣカードにおいて、トランザクションの実行中に通信Ｉ／Ｆが切替っても、トランザクションが完了するまでの間は、アプリケーションの実行状況が失われることのないＩＣカード、および、ＩＣカードに実装されるプログラムを提供することを目的とする。
【課題を解決するための手段】
【０００７】
上述した本発明を解決する第１の発明は、複数の異なる通信インターフェースを有し、同一アプリケーションに複数の前記通信インターフェースからアクセスできるＩＣカードにおいて、前記ＩＣカードは、実行されているアプリケーションの実行状況を示し、前記ＩＣカードの電源がオフになると情報が消去される記憶素子に記憶されている実行情報を、前記ＩＣカードの書換え可能な不揮発性メモリに退避／復帰させるキャッシュ手段を備えていることを特徴とするＩＣカードである。
【０００８】
第２の発明は、第１の発明に記載のＩＣカードにおいて、前記アプリケーションは、トランザクションのフローを記述したプロファイル情報を有し、前記プロファイル情報には、少なくとも、前記アプリケーションのコマンドと前記コマンドが実行される前記通信インターフェースとが、前記コマンドの実行順に記述され、前記キャッシュ手段は、前記コマンドの処理が終了し前記ＩＣカードが応答動作をする前に、前記プロファイル情報を参照し、次の前記コマンドが実行されるときに、前記通信インターフェースが切替わる際は、前記ＩＣカードの書換え可能な不揮発性メモリに前記実行情報を退避させる手段と、前記ＩＣカードが活性化された後に、前記ＩＣカードの書換え可能な不揮発性メモリを参照し、前記実行情報が退避されている際は、前記実行情報を所定の場所に復帰する手段とを備えていることを特徴とするＩＣカードである。
【０００９】
第１の発明によれば、前記ＩＣカードが前記キャッシュ手段を備え、前記通信インターフェースが切替るときに、前記実行情報を前記書換え可能な不揮発性メモリに退避／復帰させることで、前記通信インターフェースが切替っても、前記実行情報は失われることはない。なお、ここで、前記ＩＣカードの電源がオフになると情報が消去される記憶素子とは、ＩＣカードのＩＣチップに備えられた揮発性メモリ（例えば、ＲＡＭ）や、ＣＰＵのレジスタを意味する。
【００１０】
第２の発明によれば、前記アプリケーションが前記プロファイル情報を有し、前記キャッシュ手段が、前記プロファイル情報に基づいて、前記実行情報を退避／復帰させる動作を行うことで、前記ＩＣカードは上位システムからの指示を受けることなく、前記通信インターフェースが切替るときに、自立的に、前記実行情報を前記ＩＣカードの書換え可能な不揮発性メモリに退避／復帰させることができる。
【００１１】
上述した本発明を解決する第３の発明は、複数の異なる通信インターフェースを有し、同一アプリケーションに複数の前記通信インターフェースからアクセスできるＩＣカードに実装されるＩＣカード用プログラムであって、端末装置からの命令に従い、実行されているアプリケーションの実行状況を示し、前記ＩＣカードの電源がオフになると情報が消去される記憶素子に記憶されている実行情報を、前記ＩＣカードの書換え可能な不揮発性メモリに退避／復帰させる処理を行うことを特徴とするＩＣカード用プログラムである。
【００１２】
更に、第４の発明は、複数の異なる通信インターフェースを有し、同一アプリケーションに複数の前記通信インターフェースからアクセスできるＩＣカードに実装されるＩＣカード用プログラムであって、前記アプリケーションは、トランザクションのフローとして、少なくとも、前記アプリケーションのコマンドと前記コマンドが実行される前記通信インターフェースとが、前記コマンドの実行順に記述されたプロファイル情報を有し、前記ＩＣカード用プログラムは、前記アプリケーションの実行状況を示し、前記ＩＣカードの電源がオフになると情報が消去される記憶素子に記憶されている実行情報を退避させる退避モジュールと、前記実行情報を前記ＩＣカードの不揮発性メモリから所定の場所に復帰させる復帰モジュールとを有し、前記退避モジュールは、前記コマンドの処理が終了し前記ＩＣカードが応答動作をする前に、前記プロファイル情報を参照し、次の前記コマンドが実行される前記通信インターフェースと、前記ＩＣカードが活性化された前記通信インターフェースとを比較するステップ、次の前記コマンドが実行される前記通信インターフェースと、前記ＩＣカードが活性化された前記通信インターフェースとが異なる場合は、前記実行情報を前記ＩＣカードの書換え可能な不揮発性メモリに退避させるステップ、とを順に実行するプログラムであって、前記復帰モジュールは、前記ＩＣカードの活性化後に、前記ＩＣカードの不揮発性メモリに前記実行情報が記憶されているか確認するステップ、不揮発性メモリに前記実行情報が記憶されている際は、前記実行情報を所定の場所に復帰させるステップ、とを順に実行するプログラムであることを特徴とするＩＣカード用プログラムである。
【発明の効果】
【００１３】
上述した本発明によれば、接触Ｉ／Ｆと非接触Ｉ／Ｆを有するデュアルインターフェースＩＣカードのように、複数の異なる通信Ｉ／Ｆを有し、同一アプリケーションに複数のＩ／ＦからアクセスできるＩＣカードにおいて、トランザクションの実行中に通信Ｉ／Ｆが切替っても、トランザクションが完了するまでの間は、アプリケーションの実行状況が失われることのないＩＣカード、および、ＩＣカードに実装されるプログラムを提供できる。
【発明を実施するための最良の形態】
【００１４】
（第１の実施の形態）
ここから、本発明が適用され、通信インターフェース（以下、I/F: InterFace）が切替るトランザクションに対応できるデュアルインターフェースＩＣカード（以下、ＩＣカードと略して記す）の第１の実施の形態について、図を参照しながら詳細に説明する。
【００１５】
第１の実施の形態は、通信Ｉ／Ｆが切替るときに、ＩＣカードが自立的に、アプリケーションの実行状況を示す情報である実行情報を前記書換え可能な不揮発性メモリに退避／復帰する実施の形態である。
【００１６】
図１は、本発明が適用されたＩＣカードの外観および内部構造を説明する図である。図１（ａ）に示したように、ＩＣカード１とは、キャッシュカードサイズのカードにＩＣチップ２が実装されたカードで、本発明において、ＩＣチップ２は、図外の端末装置とコンタクト端子２ａを介して通信する接触Ｉ／Ｆと、図外の端末装置と無線で通信する非接触Ｉ／Ｆとを備えた、デュアルインターフェースＩＣチップである。
【００１７】
図１（ｂ）はＩＣカード１の内部構造を説明する図で、ＩＣカード１に実装されるＩＣチップ２にはアンテナ２ｂが接続され、ＩＣカード１が非接触Ｉ／Ｆで動作するときは、このアンテナ２ｂを利用して、図外の外部端末と無線で通信を行う。
【００１８】
図２はＩＣカード１に実装されるＩＣチップ２のハードウェア構造図である。ＩＣチップには、中央演算装置２０（Central Processing Unit、以下ＣＰＵと記す）に、バス２６を介して、読み出し専用メモリ２１（Read Only Memory、以下ROMと記す）、書換え可能なメモリとしてＥＥＰＲＯＭ２３（Electrically Erasable Programmable Read-Only Memoryの略）、揮発性メモリとしてランダムアクセスメモリ２２（Random Access Memory、以下ＲＡＭと記す）、および、図外の端末装置とデータを通信するための接触Ｉ／Ｆ回路２４、非接触Ｉ／Ｆ回路２５などが接続されている。
【００１９】
なお、本発明は、ＩＣチップ２の仕様を限定するものではなく、ＩＣカード１の用途に適した仕様のＩＣチップ２を選択することができる。例えばＲＯＭ２１およびＥＥＰＲＯＭ２３の容量については限定しないし、書換え可能なメモリは強誘電体メモリまたはフラッシュメモリ等のＥＥＰＲＯＭ以外のメモリであっても構わない。またＩＣチップ２はタイマー回路、暗号演算回路またはコプロセッサ回路等の図示していない他のデバイスを備えていても構わない。
【００２０】
図３は、ＩＣカード１に実装されるアプリケーション３を説明する図である。アプリケーション３は、３つのコマンド３０ａ〜３０ｃと、キャッシュマネージャ３１と、プロファイル情報３２と、実行情報３３と、キャッシュファイル３４とを備えている。
【００２１】
アプリケーション３とはある特定の用途（例えば、コンピュータへのログインシステム）のために設計されたプログラムで、実行されるアプリケーション３は、図外の端末装置から送信される選択命令（例えば、ＩＳＯ７８１６規格に記述されたＳＥＬＥＣＴコマンド）で指定される。
【００２２】
図３において、アプリケーション３はコマンド３０ａ〜３０ｃを有し、コマンド３０ａ〜３０ｃとは、図外の端末装置がＩＣカード１に送信する命令（例えば、データの書込み／読出し、ＩＣカード１に記憶された情報に基づくユーザ認証など）を、ＩＣカード１のＣＰＵ２０が処理するコードが記述されたプログラムである。なお、今後、コマンド３０ａ〜３０ｃのそれぞれを区別しないときは、コマンド３０と記述する。
【００２３】
コマンド３０ａ〜３０ｃのそれぞれには、コマンド３０ａ〜３０ｃを識別するためのコマンド識別子（例えば、ＩＳＯ７８１６規格で規定されているＣＬＡ，ＩＮＳ）を有し、図３のコマンドコマンド３０ａ〜３０ｃには、それぞれ「Ａ」、「Ｂ」そして「Ｃ」のコマンド識別子が付加されている。
【００２４】
図３において、アプリケーション３が有する実行情報３３とは、アプリケーション３の実行状況を示し、ＩＣカード１の電源がオフになると情報が消去される記憶素子に記憶されている情報であって、例えば、ＲＡＭ２２に記憶され、ＩＳＯ７８１６規格に記述されたセキュリティステータスであるとか、ＣＰＵ２０のプログラムカウンターなどの、アプリケーション３が再開されるときに必要となる情報である。
【００２５】
図３において、アプリケーション３が有するキャッシュマネージャ３１とは、プロファイル情報３２に記述されるトランザクションのフローに従い、通信Ｉ／Ｆが切替るときに、アプリケーション３の実行情報３３を、ＥＥＰＲＯＭ２３に設けられたキャッシュファイル３４に退避／復帰する機能を備えたプログラムである。
【００２６】
キャッシュマネージャ３１が参照するプロファイル情報３２には、通信Ｉ／Ｆを切替える処理が実行されるトランザクションのフローとして、ＩＣカード１が実行する処理の内容を示す処理情報が実行順序通りに並べられている。本実施の形態において、一つの処理情報には、実行されるコマンド３０のコマンド識別子と、そのコマンド３０が実行される通信Ｉ／Ｆが、少なくとも、記憶される。
【００２７】
ここから、図４を用いて、プロファイル情報３２の一例を説明する。図４は、プロファイル情報３２の一例を示した図である。プロファイル情報３２には、実行順序を意味する番号３２ａに関連付けて処理情報３２ｂが記憶され、処理情報３２ｂには、コマンド３０のコマンド識別子３２ｃとそのコマンド３０が実行されるときの通信Ｉ／Ｆ３２ｄが記述されている。
【００２８】
図４のプロファイル情報３２によれば、通信Ｉ／Ｆを切替える処理が実行されるトランザクションのフローは、最初に接触Ｉ／Ｆでコマンド識別子が「Ａ」のコマンド３０ａが実行され、次に接触Ｉ／Ｆでコマンド識別子が「Ｂ」のコマンド３０ｂが実行され、最後に非接触Ｉ／Ｆでコマンド識別子が「Ｃ」のコマンド３２ｃが実行されるフローである。
【００２９】
加えて、本実施の形態においては、キャッシュマネージャ３１が、プロファイル情報３２で示されるトランザクションの進捗管理を行うために、プロファイル情報３２には、処理情報の完了を示すフラグを記憶するトランザクションログ３２ｅが設けられている。
【００３０】
キャッシュマネージャ３１は、プロファイル情報３２で示されるフローに従い、処理情報３２ｃで示される処理を完了すると、完了した処理情報３２ｃに対応するトランザクションログ３２ｅの箇所に、この処理情報３２ｃが完了したことを示すフラグを書き込む。キャッシュマネージャ３１は、このトランザクションログ３２ｅを参照することで、次のコマンドが実行するときの通信Ｉ／Ｆを知ることができる。
【００３１】
例えば、図４のプロファイル情報３２では、トランザクションログ３２ｅの「１」は完了を示し、「０」は未完了を示している。図４では、完了している処理情報３２ｂは、番号「１」および番号「２」の処理情報で、次に実行される処理情報３２ｂは番号「３」の処理情報で、番号「３」の処理情報では、通信Ｉ／Ｆ３２ｄは、接触Ｉ／Ｆから非接触Ｉ／Ｆに切替わることが示されている。
【００３２】
ここから、図３のキャッシュマネージャ３１の説明に戻る。キャッシュマネージャ３１は、端末装置から送信された命令を処理すると、プロファイル情報３２を参照し、次のコマンド３０が実行される通信Ｉ／Ｆが、ＩＣカード１が活性化された通信Ｉ／Ｆと異なる場合は、実行情報３３をキャッシュファイル３４に一時的に退避させる。そして、実行情報３３をキャッシュファイル３４に退避した後、ＩＣカード１は、図外の端末装置から送信された命令に対する応答動作を行う。
【００３３】
そして、通信Ｉ／Ｆが切替り、上述した選択命令でアプリケーション３が指定されると、キャッシュマネージャ３１は、キャッシュファイル３４に一時的に退避させた実行情報３３を、所定の場所に復帰させる。
【００３４】
キャッシュマネージャ３１が、プロファイル情報３２に基づいて、実行情報３３をキャッシュファイル３４に退避／復帰させることで、図外の端末装置がＩＣカード１の通信Ｉ／Ｆを切替える手順を実行しても、実行情報３３はＩＣカード１から消去されることはない。
【００３５】
ここから、キャッシュマネージャ３１が実行情報３３を退避／復帰させる手順について、図を参照しながら詳細に説明する。図５は、キャッシュマネージャ３１が実行情報３３を退避／復帰させる手順を示したフロー図である。
【００３６】
この動作の最初のステップＳ１０は、図外の端末装置からＩＣカード１が命令を受信し、受信した命令を実行するステップである。そして、ステップＳ１１は、ステップＳ１０の実行結果をプロファイル情報３２のトランザクションログに反映させ、トランザクションログを更新するステップである。
【００３７】
次のステップＳ１２では、実行したコマンドが、プロファイル情報３２で示される最後のコマンドであるか確認するステップである。最終のコマンドでなければステップＳ１３に進み、最終コマンドの場合は、ステップＳ１８でプロファイル情報３２のトランザクションログを初期化し、ＩＣカード１は、端末装置から送信された命令に対する応答動作を行い、この手順を終了する。
【００３８】
ステップＳ１２で最終のコマンドでないときに実行されるステップＳ１３は、キャッシュマネージャ３１がプロファイル情報３２を確認し、次に実行される処理情報から、次のコマンドが実行されるときに、通信Ｉ／Ｆが切替わるか確認するステップである。通信Ｉ／Ｆが切替わらないときはステップＳ１０に戻り、切替わるときはステップＳ１４に進む。
【００３９】
通信Ｉ／Ｆが切替わるときに実行されるステップＳ１４は、実行情報３３をＥＥＰＲＯＭ２３のキャッシュファイル３４に退避するステップである。
【００４０】
次に実行されるステップＳ１５は、通信Ｉ／Ｆが切替り、再度、アプリケーション３が選択されるステップである。通信Ｉ／Ｆが切替えると、ＩＣカード１は、揮発性メモリの初期化などの予め定義された処理が実行され、上述している選択コマンドによって、再度、アプリケーション３が選択される
【００４１】
次に実行されるステップＳ１６は、キャッシュマネージャ３１がキャッシュファイル３４に実行情報３３が退避されているか確認するステップである。キャッシュファイル３４に実行情報３３が退避されていないときはステップＳ１０に戻り、退避されているときはステップＳ１７に進む。
【００４２】
次のステップＳ１７は、キャッシュマネージャ３１が、キャッシュファイル３４に退避された実行情報３３を所定の場所に復帰させるステップである。キャッシュマネージャ３１が実行情報３３をに復帰した後は、ステップＳ１０に戻る。
【００４３】
（第２の実施の形態）
ここから、本発明が適用された、通信インターフェース（以下、I/F: InterFace）が切替るトランザクションに対応できるＩＣカードの第２の実施の形態を説明する図である。第２の実施の形態は、図外の端末装置からの命令に従い、ＩＣカードが、アプリケーションの実行状況を示し、揮発性メモリ（ここでは、ＲＡＭ）やＣＰＵのレジスタに記憶している情報をキャッシュファイルに退避／復帰させる実施の形態である。
【００４４】
図６は、第２の実施の形態において、ＩＣカードに実装されるアプリケーションを説明する図である。図６に示したように、アプリケーション４は、コマンド４０に加えて、実行情報４２をキャッシュファイル４３に退避／復帰させる機能を有するキャッシュコマンド４１を有している。
【００４５】
ＩＣカードは、端末装置からキャッシュコマンド４１を実行する命令を受信すると、アプリケーション４に備えらたキャッシュコマンド４１は、実行情報４２をキャッシュファイル４３に退避／復帰させる動作を行う。なお、キャッシュコマンド４１がキャッシュファイル４３に退避させるか、キャッシュファイル４３からの復帰させるかについては、図外の端末装置から送信される命令のパラメータで指定される。
【図面の簡単な説明】
【００４６】
【図１】ＩＣカードの外観および内部構造を説明する図。
【図２】ＩＣカードに実装されるＩＣチップのハードウェア構造図。
【図３】第１の実施の形態で、ＩＣカードに実装されるアプリケーションを説明する図。
【図４】プロファイル情報の一例を示した図。
【図５】キャッシュマネージャの動作を示したフロー図。
【図６】第２の実施の形態で、ＩＣカードに実装されるアプリケーションを説明する図。
【符号の説明】
【００４７】
１  ＩＣカード
２  ＩＣチップ
２０  ＣＰＵ
２２  ＲＡＭ
２３  ＥＥＰＲＯＭ
３  アプリケーション
３０  コマンド
３１  キャッシュマネージャ
３２  プロファイル情報
３３  実行情報
３４  キャッシュファイル
４  アプリケーション
４１  キャッシュコマンド
【図１】
2006302130.tif 000003
【図２】
2006302130.tif 000004
【図３】
2006302130.tif 000005
【図４】
2006302130.tif 000006
【図５】
2006302130.tif 000007
【図６】
2006302130.tif 000008